(57)【要約】【課題】電源から回路に電力を供給できなくなったときでも、コア回路を作動させるために必要な最低限の予備用電源を回路中のコア回路に供給することにより、コア回路を作動させることができる予備用電力供給ユニットを有する回路を提供する。【解決手段】予備用電力供給ユニット８を有する回路は、電源１から供給される電力によって作動し、コア回路４、非コア回路６、予備用電力供給ユニット８及び電源異常検出ユニット１０を備える。コア回路４は、臨時処理プロセスを有する。非コア回路６は、電源１に接続され、電力を受け取る。予備用電力供給ユニット８は、蓄電素子８４及び一方向素子８２を有する。一方向素子８２は、電源１に接続される入力端と、コア回路４及び蓄電素子８４に接続される出力端とを有し、蓄電素子８４中に蓄電された蓄電電力が出力端から入力端にフィードバックされるのを阻止する。【選択図】図１
2012085508.tif 000002
【特許請求の範囲】
【請求項１】
電源から供給される電力によって作動し、コア回路、非コア回路、予備用電力供給ユニット及び電源異常検出ユニットを備える予備用電力供給ユニットを有する回路であって、
前記コア回路は、臨時処理プロセスを有し、
前記非コア回路は、前記電源に接続され、前記電力を受け取り、
前記予備用電力供給ユニットは、蓄電素子及び一方向素子を有し、前記一方向素子は、前記電源に接続される入力端と、前記コア回路及び前記蓄電素子に接続される出力端と、を有し、前記蓄電素子中に蓄電された蓄電電力が前記出力端から前記入力端にフィードバックされるのを阻止し、前記蓄電素子は、充電機能及び放電機能を有し、
前記電源異常検出ユニットは、前記コア回路に接続され、前記電力の供給状態を検出し、前記電力の供給が中断されたとき、制御信号を生成して前記コア回路に送信することにより、前記コア回路に臨時処理プロセスを実行させることを特徴とする予備用電力供給ユニットを有する回路。
【請求項２】
前記コア回路と前記非コア回路との間に配置され、前記コア回路と前記非コア回路との間の信号伝送を遮断する信号遮断ユニットをさらに備えることを特徴とする請求項１に記載の予備用電力供給ユニットを有する回路。
【請求項３】
前記一方向素子の出力端と前記コア回路との間に配置され、前記出力端から出力される前記電力又は前記蓄電電力を調整し、調整後の調整電力を前記コア回路に出力する電圧調整ユニットをさらに備えることを特徴とする請求項１に記載の予備用電力供給ユニットを有する回路。
【請求項４】
前記一方向素子は、ダイオード又はトランジスタであり、
前記蓄電素子は、コンデンサ又は二次電池であることを特徴とする請求項１に記載の予備用電力供給ユニットを有する回路。
【請求項５】
前記コア回路は、メモリ、フラッシュメモリ、マイクロプロセッサ及びネットワークモジュールのうちの少なくとも１つを有することを特徴とする請求項１に記載の予備用電力供給ユニットを有する回路。
【請求項６】
前記非コア回路は、ＲＦ回路、ＵＳＩＭ、ＧＰＳ、ＦＰＧＡ及びＣＰＬＤのうちの少なくとも１つを有することを特徴とする請求項１に記載の予備用電力供給ユニットを有する回路。
【請求項７】
電源から供給される電力によって作動し、予備用電力供給ユニットを有する回路の配置に用いられる回路の配置方法であって、
前記回路をコア回路と非コア回路とに区分するステップと、
前記非コア回路に前記電源を接続し、電力を受け取るステップと、
前記コア回路及び蓄電素子に一方向素子の出力端を接続するステップと、
前記コア回路に電源異常検出ユニットを接続するステップと、を含み、
前記コア回路は、臨時処理プロセスを有し、
前記蓄電素子及び前記一方向素子によって予備用電力供給ユニットが形成され、前記一方向素子の入力端は、前記電源を接続し、前記一方向素子は、前記蓄電素子中に蓄電された蓄電電力が前記出力端から前記入力端にフィードバックするのを阻止し、前記蓄電素子は、充電機能及び放電機能を有し、
前記電源異常検出ユニットは、前記電力の供給状態を検出し、前記電力の供給が中断されたとき、制御信号を生成して前記コア回路に送信することにより、前記コア回路に臨時処理プロセスを実行させることを特徴とする回路の配置方法。
【請求項８】
前記コア回路と前記非コア回路との間の信号伝送を遮断する信号遮断ユニットを前記コア回路と前記非コア回路との間に配置するステップをさらに含むことを特徴とする請求項７に記載の回路の配置方法。
【請求項９】
前記出力端から出力された前記電力又は前記蓄電電力を調整し、調整後の調整電力を前記コア回路に出力する電圧調整ユニットを前記一方向素子の出力端と前記コア回路との間に配置するステップをさらに含むことを特徴とする請求項７に記載の回路の配置方法。
【発明の詳細な説明】
【技術分野】
【０００１】
本発明は、本発明は、予備用電力供給ユニットを有する回路及びその配置方法に関し、特に、電源から回路に電力を供給できなくなったとき、コア回路を作動させるために必要な最低限の予備用電力を回路中のコア回路に供給することにより、コア回路を作動させることができる回路及びその配置方法に関する。
【背景技術】
【０００２】
従来技術において、回路は、電源からの電力供給が中断されることにより、作動できなくなったり、回路中において実行中の処理プロセス（ｐｒｏｃｅｓｓ）が遺失したり損壊したりする虞があった。
【０００３】
上述の問題を解決するため、従来技術においては、予め電源を蓄電する技術が用いられている。即ち、大型の蓄電装置から構成された無停電電源装置（ＵＰＳ）を利用する。これにより、電源からの電力供給が中断されたとき、所定時間内に、無停電電源装置により、回路に電源を供給し続けることができる。これにより、ユーザは、所定時間内において、回路によりバックアップしたり保存したりするなどの処理プロセスを行うことができる。このように、無停電電源装置は、電源からの電力供給が中断されて処理プロセスが遺失したり損壊したりする状況が発生するような問題が発生することを防ぐことができるが、一般に、無停電電源装置は、体積が大きく、重量が重く、価格が高く、携帯に不便であるなどの欠点を有するため、既存の回路中に有効に組み込むことは困難である。
【０００４】
上述の無停電電源装置の問題点は、その後に開発された他の従来技術によって解決されている。例えば、特許文献１では、ＡＤＳＬの顧客端末に電力が供給されなくなってＡＤＳＬの顧客端末が作動不能になり、基地局端末に停電信号を発信できなくなる問題を解決する方式が開示されている。特許文献１は、上述の無停電電源装置の問題点を解決することができるが、電源が全ての顧客端末に用いられるため、電源を蓄電するために用いられるコンデンサは、顧客端末の作動を確保するために電気容量が大きいものを使用する必要がある。
【０００５】
さらに、現在の回路は、例えば、携帯電話（ｍｏｂｉｌｅ  ｐｈｏｎｅ）など、持ち運びに便利なように、小型化が求められる装置に使用される。そのため、一般に、携帯電話の内部に配置される部品は、厳しい寸法制限を受ける。そのため、電源からの電力供給が中断された場合の対処法のみを考慮し、大容量のコンデンサを使用するために、軽率に携帯電話の寸法を間接的に変更することはできない。
【先行技術文献】
【特許文献】
【０００６】
【特許文献１】台湾特許第２７１９９３号公報
【発明の概要】
【発明が解決しようとする課題】
【０００７】
本発明の目的は、電源から回路に電力を供給できなくなったときでも、コア回路を作動させるために必要な最低限の予備用電源を回路中のコア回路に供給することにより、コア回路を作動させることができる予備用電力供給ユニットを有する回路を提供することにある。
【０００８】
本発明のもう一つの目的は、電源から回路に電力が供給されなくなり、回路が作動できなくなったときでも、回路中のコア回路に臨時処理プロセス（ｔｅｍｐｏｒａｒｙ  ｐｒｏｃｅｓｓ）を完了させることができる回路配置方法を提供することにある。
【課題を解決するための手段】
【０００９】
上記課題を解決するために、本発明の第１の形態によれば、電源から供給される電力によって作動し、コア回路、非コア回路、予備用電力供給ユニット及び電源異常検出ユニットを備える予備用電力供給ユニットを有する回路であって、前記コア回路は、臨時処理プロセスを有し、前記非コア回路は、前記電源に接続され、前記電力を受け取り、前記予備用電力供給ユニットは、蓄電素子及び一方向素子を有し、前記一方向素子は、前記電源に接続される入力端と、前記コア回路及び前記蓄電素子に接続される出力端と、を有し、前記蓄電素子中に蓄電された蓄電電力が前記出力端から前記入力端にフィードバックされるのを阻止し、前記蓄電素子は、充電機能及び放電機能を有し、前記電源異常検出ユニットは、前記コア回路に接続され、前記電力の供給状態を検出し、前記電力の供給が中断されたとき、制御信号を生成して前記コア回路に送信することにより、前記コア回路に臨時処理プロセスを実行させることを特徴とする予備用電力供給ユニットを有する回路が提供される。
【００１０】
また、前記コア回路と前記非コア回路との間に配置され、前記コア回路と前記非コア回路との間の信号伝送を遮断する信号遮断ユニットをさらに備えることが好ましい。
また、前記一方向素子の出力端と前記コア回路との間に配置され、前記出力端から出力される前記電力又は前記蓄電電力を調整し、調整後の調整電力を前記コア回路に出力する電圧調整ユニットをさらに備えることが好ましい。
【００１１】
また、前記一方向素子は、ダイオード又はトランジスタであり、前記蓄電素子は、コンデンサ又は二次電池であることが好ましい。
【００１２】
また、前記コア回路は、メモリ、フラッシュメモリ、マイクロプロセッサ及びネットワークモジュールのうちの少なくとも１つを有することが好ましい。
【００１３】
また、前記非コア回路は、ＲＦ回路、ＵＳＩＭ、ＧＰＳ、ＦＰＧＡ及びＣＰＬＤのうちの少なくとも１つを有することが好ましい。
【００１４】
上記課題を解決するために、本発明の第２の形態によれば、電源から供給される電力によって作動し、予備用電力供給ユニットを有する回路の配置に用いられる回路の配置方法であって、前記回路をコア回路と非コア回路とに区分するステップと、前記非コア回路に前記電源を接続し、電力を受け取るステップと、前記コア回路及び蓄電素子に一方向素子の出力端を接続するステップと、前記コア回路に電源異常検出ユニットを接続するステップと、を含み、前記コア回路は、臨時処理プロセスを有し、前記蓄電素子及び前記一方向素子によって予備用電力供給ユニットが形成され、前記一方向素子の入力端は、前記電源を接続し、前記一方向素子は、前記蓄電素子中に蓄電された蓄電電力が前記出力端から前記入力端にフィードバックするのを阻止し、前記蓄電素子は、充電機能及び放電機能を有し、前記電源異常検出ユニットは、前記電力の供給状態を検出し、前記電力の供給が中断されたとき、制御信号を生成して前記コア回路に送信することにより、前記コア回路に臨時処理プロセスを実行させることを特徴とする回路の配置方法が提供される。
【００１５】
また、前記コア回路と前記非コア回路との間の信号伝送を遮断する信号遮断ユニットを前記コア回路と前記非コア回路との間に配置するステップをさらに含むことが好ましい。
【００１６】
また、前記出力端から出力された前記電力又は前記蓄電電力を調整し、調整後の調整電力を前記コア回路に出力する電圧調整ユニットを前記一方向素子の出力端と前記コア回路との間に配置するステップをさらに含むことが好ましい。
【発明の効果】
【００１７】
本発明の予備用電力供給ユニットを有する回路及びその配置方法は、従来技術と異なり、電源から回路への電力供給が中断されたときでも、所定時間内に回路中のコア回路に臨時処理プロセスを実行させることができる。これにより、コア回路は、回路をオフにする前の準備作業を完了させることができ、回路中において実行中の処理プロセスが遺失したり損壊したりすることがない。さらに、従来技術のように、電気容量の大きなコンデンサを使用して回路全体を作動させる必要がない。また、本発明の蓄電素子は、周辺の非コア回路の増加に伴い、コンデンサの電気容量を大きくする必要がなく、コア回路の作動に必要な最低限の作動電力のみを供給すればよい。即ち、本発明が提供する予備用電力供給ユニットを有する回路及びその配置方法は、電気消費量が少なく、最小限の作動回路を提供することができ、電源から回路への電力供給が中断されて正常に回路をオフにすることができなくなったときに、準備作業を行うことができる。
【図面の簡単な説明】
【００１８】
【図１】本発明の第１実施形態による予備用電力供給ユニットを有する回路を示すブロック図である。
【図２】本発明の第１実施形態による予備用電力供給ユニットを有する回路の電源からの電力供給が中断されたときの状態を示すブロック図である。
【図３】本発明の第２実施形態による予備用電力供給ユニットを有する回路を示すブロック図である。
【図４】本発明の第３実施形態による回路配置方法を示す流れ図である。
【図５】図１の回路の予備用電力供給ユニットの作動状態を示す回路図である。
【発明を実施するための形態】
【００１９】
以下、本発明の実施形態について図に基づいて説明する。なお、これによって本発明が限定されるものではない。
【００２０】
（第１実施形態）
図１を参照する。図１に示すように、本発明の第１実施形態による回路２は、電源１から供給される電気エネルギＰＥによって作動する。例えば、電源１は、電力を生成したり変換出力したりすることが可能な電源供給装置、一次電池、二次電池などである。
【００２１】
回路２は、コア回路４、非コア回路６、予備用電力供給ユニット８及び電源異常検出ユニット１０を含む。コア回路４は、臨時処理プロセスＴＰを有する。臨時処理プロセスＴＰとは、例えば、使用中のファイル又は回路２をオフにする前の使用状態を保存するなど、回路２をオフにする前に完了しなければならない準備作業である。コア回路４は、回路２が上述の臨時処理プロセスＴＰを実行するために必要な素子である。コア回路４は、例えば、メモリ、フラッシュメモリ、マイクロプロセッサ及びネットワークモジュールの中の少なくとも１つを含む。実際には、回路の応用領域に応じ、重要な機能を保護するために用いられる臨時処理プロセスがそれぞれ異なるため、コア回路に含まれる素子は、状況によって異なる。例えば、ネットワーク機能が重視される電子装置に用いられる回路のコア回路は、ネットワークモジュールを含む必要がある。これにより、電源からの電力供給が中断されたときでも、コア回路が実行する臨時処理プロセスは、ネットワークモジュールを利用することにより、ネットワーク機能を保護することができる。
【００２２】
非コア回路６は、電源１に接続され、電気エネルギＰＥを受信することにより、直接作動される。非コア回路６は、臨時処理プロセスＴＰを実行するときに使用しなければならない素子ではない。非コア回路６は、例えば、ＲＦ回路、ＵＳＩＭ、ＧＰＳ、ＦＰＧＡ及びＣＰＬＤの中の少なくとも１つを含む。即ち、回路中のコア回路に画定された以外の素子により、非コア回路が構成される。
【００２３】
コア回路４と非コア回路６との間は、バスを介して接続されることにより、信号ＳＩＧの相互伝送を行うことができる。
【００２４】
予備用電力供給ユニット８は、一方向素子８２及び蓄電素子８４を含む。一方向素子８２は、入力端８２２及び出力端８２４を有する。入力端８２２は、電源１に接続するために用いられる。出力端８２４は、コア回路４及び蓄電素子８４に接続される。一方向素子８２は、蓄電素子８４中に蓄電された蓄電電力ＳＰＥが一方向素子８２を介し、出力端８２４から入力端８２２にフィードバックされるのを阻止するために用いられる。また、蓄電素子８４は、充電機能及び放電機能を有する。一方向素子８２は、例えば、ダイオード又はトランジスタである。また、蓄電素子８４は、コンデンサ又は二次電池である。図５を合わせて参照する。図５においては、一方向素子８２がダイオードであり、蓄電素子８４がコンデンサである場合を例に説明する。電気エネルギＰＥは、一方向素子８２を介し、充電経路Ａを経由して蓄電素子８４に対して充電を行い、蓄電素子８４に蓄電電力ＳＰＥを蓄電する。また、電気エネルギＰＥは、給電経路Ｂを経由してコア回路４に直接供給される。電気エネルギＰＥが供給されないとき、蓄電素子８４内に蓄電された蓄電電力ＳＰＥが放電経路Ｃを経由してコア回路４に放電される。また、一方向素子８２により、蓄電素子８４中に蓄電された蓄電電力ＳＰＥが出力端８２４から入力端８２２にフィードバックされるのが阻止されることにより、蓄電電力ＳＰＥが非コア回路６によって消費されるのを防止することができる。これにより、図２に示すように、電気エネルギＳＥがコア回路４に供給されなくなったとき、蓄電素子８４の蓄電電力ＳＰＥがコア回路４に供給され続ける。それと反対に、非コア回路８は、電源１からの電気エネルギＰＥの供給が停止したとき、作動が停止する。
【００２５】
電源異常検出回路１０は、コア回路４に接続される。電源異常検出ユニット１０は、電気エネルギＰＥの供給状態を検出し、電気エネルギＰＥの供給が中断されたとき、制御信号ＣＳを生成してコア回路４に送信することにより、コア回路４に臨時処理プロセスＴＰを実行させる。
【００２６】
上述したことから分かるように、電源１からの電気エネルギＳＥの供給が中断されたとき、コア回路４には、蓄電素子８４から蓄電電力ＳＰＥが供給される。また、この際に電源異常検出ユニット１０が制御信号ＣＳを生成してコア回路４に送信することにより、コア回路４に臨時処理プロセスＴＰを実行させる。即ち、コア回路４は、蓄電素子８４から供給される蓄電電力ＳＰＥを利用することによって作動し、臨時処理プロセスＴＰを実行することができる。
【００２７】
（第２実施形態）
図３を参照する。図３に示すように、本発明の第２実施形態による回路２’は、第１実施形態の回路２中のコア回路４、非コア回路６、予備用電力供給ユニット８及び電源異常検出ユニット１０を含む以外に、電圧調整ユニット１２及び信号遮断ユニット１４をさらに含む。電圧調整ユニット１２は、一方向素子８２の出力端８２４とコア回路４との間に配置される。また、電圧調整ユニット１２は、出力端８２４から出力される電気エネルギＰＥ又は蓄電電力ＳＰＥを調整し、調整後の調整電力ＡＰＥをコア回路４に出力するために用いられる。信号遮断ユニット１４は、コア回路４と非コア回路６との間に配置される。信号遮断ユニット１４は、電源からの電力供給が中断されたとき、コア回路４と非コア回路６との間の信号ＳＩＧの伝送を遮断し、非コア回路６の電位がコア回路４の作動に悪影響を与えるのを防ぐために用いられる。
【００２８】
（第３実施形態）
図４を参照する。本発明の第３実施形態による回路の配置方法は、予備用電力供給ユニットを有する回路を配置するために用いられる。この回路は、電源から供給される電力によって作動する。本発明の第３実施形態による回路の配置方法は、以下Ｓ１〜Ｓ４のステップを含む。
【００２９】
Ｓ１：回路をコア回路と非コア回路とに区分する。コア回路は、臨時処理プロセスＴＰを有する。
【００３０】
Ｓ２：非コア回路に電源を接続し、電力を受け取る。
【００３１】
Ｓ３：コア回路及び蓄電素子に一方向素子の出力端を接続する。蓄電素子及び一方向素子によって予備用電力供給ユニットが形成される。一方向素子の入力端は、電源に接続するために用いられる。また、一方向素子は、蓄電素子中に蓄電された蓄電電力が出力端から入力端にフィードバックするのを阻止するために用いられる。また、蓄電素子は、充電機能及び放電機能を有する。
【００３２】
Ｓ４：コア回路に電源異常検出ユニットを接続する。電源異常検出ユニットは、電力の供給状態を検出する上、電力の供給が中断されたとき、制御信号を生成してコア回路に送信することにより、コア回路に臨時処理プロセスを実行させるために用いられる。
【００３３】
ここで、上述のステップ中、予備用電力供給ユニット中の一方向素子により、電源から供給される電力は、予備用電力供給ユニット中の蓄電素子に一方向に充電されるか、或いは、コア回路に一方向に供給される。
【００３４】
また、上述のステップは、コア回路と非コア回路との間に、信号遮断ユニットを配置するステップをさらに含む。この信号遮断ユニットは、コア回路と非コア回路との間の信号伝送を遮断するために用いられる。
【００３５】
また、上述のステップは、一方向素子の出力端とコア回路との間に、電圧調整ユニットを配置するステップをさらに含む。電圧調整ユニットは、出力端から出力される電力又は蓄電電力を調整し、調整後の調整電力をコア回路に出力するために用いられる。
【００３６】
本発明の予備用電力供給ユニットを有する回路及びその配置方法は、従来技術と異なり、電源から回路への電力供給が中断されたときでも、所定時間内に回路中のコア回路に臨時処理プロセスを実行させることができる。これにより、コア回路は、回路をオフにする前の準備作業を完了させることができ、回路中において実行中の処理プロセスが遺失したり損壊したりすることがない。さらに、従来技術のように、電気容量の大きなコンデンサを使用して回路全体を作動させる必要がない。また、本発明の蓄電素子は、周辺の非コア回路の増加に伴い、コンデンサの電気容量を大きくする必要がなく、コア回路の作動に必要な最低限の作動電力のみを供給すればよい。即ち、本発明が提供する予備用電力供給ユニットを有する回路及びその配置方法は、電気消費量が少なく、最小限の作動回路を提供することができ、電源から回路への電力供給が中断されて正常に回路をオフにすることができなくなったときに、準備作業を行うことができる。
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３７】
１    電源
２    回路
２’  回路
４    コア回路
６    非コア回路
８    予備用電力供給ユニット
１０    電源異常検出ユニット
１２    電圧調整ユニット
１４    信号遮断ユニット
８２    一方向素子
８４    蓄電素子
８２２    入力端
８２４    出力端
Ａ    充電経路
Ｂ    給電経路
Ｃ    放電経路
ＣＳ    制御信号
ＰＥ    電気エネルギ
ＳＥ    電気エネルギ
ＴＰ    臨時処理プロセス
ＡＰＥ    調整電力
ＳＩＧ    信号
ＳＰＥ    蓄電電力
【図１】
2012085508.tif 000003
【図２】
2012085508.tif 000004
【図３】
2012085508.tif 000005
【図４】
2012085508.tif 000006
【図５】
2012085508.tif 000007